(57)【要約】【課題】ペン先の紙面に対する角度によらず、筆記部全体が紙面に接触し、一定の線幅が容易に得られる筆記具を提供する。【解決手段】筆記具１は、ペン先２と、ペン先２を保持する保持部材３を備える。ペン先２の前部は、横断面略長方形状を有し、ペン先２の先端部に筆記部を備える。筆記部は、保持部材３の先端部から前方に突出する。保持部材３は、先端部にペン先２の前部を包囲する横断面略長方形状の保持部を備え、保持部の側壁に、切り欠き状の開口部を備える。【選択図】  図１
2019155879.tif 000002
【特許請求の範囲】
【請求項１】
少なくともペン先と、前記ペン先を保持する保持部材と、を備えた筆記具であって、前記ペン先の前部が、横断面略長方形状を有するとともに先端部に紙面に接触する筆記部を備え、前記保持部材の先端部が、前記ペン先の前部を包囲する横断面略長方形状の保持部を備え、前記筆記部が前記保持部材の先端部から前方に突出され、前記ペン先の横断面略長方形状の長辺側の前記保持部の側壁に、前端が前方に開放され且つ後端が閉鎖された切り欠き状の開口部を備え、前記開口部により、筆記時にペン先が長辺側に撓み変形可能なことを特徴とする筆記具。
【請求項２】
前記開口部の幅が、前記ペン先の横断面略長方形状の長辺側の幅より大きい請求項１記載の筆記具。
【請求項３】
前記保持部材は、前記ペン先の横断面略長方形状の短辺側の前記保持部の両側壁の先端部に、筆記時に紙面に接触する一対の支持片を備える請求項１又は２に記載の筆記具。
【請求項４】
前記保持部材と接続される軸筒を備え、前記保持部材の後部は前記軸筒の前部に取り付けられ、前記保持部材の内面に第１の当接壁部が形成され、前記軸筒の内面に第２の当接壁部が形成され、前記第１の当接壁部と前記第２の当接壁部とにより、前記ペン先の外面が前後方向に挟持されてなる請求項１乃至３のいずれかに記載の筆記具。
【請求項５】
前記開口部の後端縁部は略直線状に形成され、前記筆記部の頂部は略直線状に形成され、前記後端縁部の軸線に対する角度は、前記筆記部の頂部の軸線に対する角度と略同一である請求項１乃至４のいずれかに記載の筆記具。
【請求項６】
前記ペン先は、繊維ペン先、フェルトペン先、連続気泡を有する多孔質体からなるペン先、軸方向の毛細管通路を有するプラスチックペン先のいずれかである請求項１乃至５のいずれかに記載の筆記具。
【請求項７】
前記軸筒の外面に、前記ペン先の向きを識別する方向識別部を備える請求項１乃至６のいずれかに記載の筆記具。
【請求項８】
ペン先と、前記ペン先を保持する保持部材とを備えた筆記具であって、前記保持部材の先端より前記ペン先が前方に突出され、前記保持部材の先端部の側壁に、切り欠き状の開口部が形成され、前記開口部を介して、前記保持部材の先端より後方に位置する前記ペン先の一定の長手寸法部分の全幅方向が露出されてなることを特徴とする筆記具。
【発明の詳細な説明】
【技術分野】
【０００１】
本発明は、筆記具に関する。詳細には、少なくともペン先と、前記ペン先を保持する保持部材とを備えたマーキングペン等の筆記具に関する。
【背景技術】
【０００２】
従来この種の筆記具において、例えば、特許文献１には、筆記部を形成したペン体を、軸筒の先端部に配している筆記具において、前記ペン体は、筆記に伴い軸筒に加えられる力により、その筆記部全体が筆記面に接触するように傾動自在に支持されている筆記具が記載されている。
【０００３】
なお、図１１及び図１２は、従来の筆記具によって紙面に筆記する際の状態１を示し、図１３及び図１４は従来の筆記具によって紙面に筆記する際の状態２を示している。前記状態１とは、筆記部が紙面に接触する長辺の延長線に沿う方向から筆記具全体を見たときに、筆記角度θ（すなわち、筆記具の軸線と紙面との角度）が略９０度となっている状態を指し、前記状態２とは、筆記部が紙面に接触する長辺の延長線に沿う方向から筆記具全体を見たときに、紙面に対して筆記具の軸線が傾いている（例えば、筆記角度θが略３０度から略６０度となっている）状態を指す。実際に筆記する際には、状態１及び状態２のどちらの状態にもなり得る。
【０００４】
なお、図１１乃至図１４は、筆記時における筆記具の姿勢（すなわち、筆記角度θや筆記時に筆記具が移動する進行方向Ｄなど）を示しているのみで、特許文献１に記載されている構造等は省略してある。
【先行技術文献】
【特許文献】
【０００５】
【特許文献１】特開２００５−２９７５４０号公報
【発明の概要】
【発明が解決しようとする課題】
【０００６】
前記特許文献１において、前記状態１の場合は、筆記に伴い軸筒に加えられる紙面に対する垂直方向の力Ｆが、ペン体が傾動する仮想平面Ｐ内に存在する。すなわち、筆記に伴い軸筒に加えられる紙面に対する垂直方向の力Ｆが、そのままペン体が傾動するための力として作用する。これにより、筆記部全体が筆記面に接触するようにペン体が傾動するので、一定幅の描線を容易に描くことができる。
【０００７】
しかしながら、前記状態２の場合は、筆記に伴い軸筒に加えられる紙面に対する垂直方向の力Ｆが、ペン体が傾動する仮想平面Ｐ内に存在しない。すなわち、筆記に伴い軸筒に加えられる紙面に対する垂直方向の力Ｆのうち、一部しかペン体が傾動するための力として作用しない。これにより、ペン体が適正に傾動することが困難となり、筆記部の全体ではなく筆記部の一部のみが筆記面に接触した状態で筆記することになるおそれがある。
【０００８】
さらに、状態２で進行方向Ｄに筆記具を移動させる場合は、ペン体に対して軸筒とは反対方向の力（すなわち、ペン体が引っ張られる方向の力）が加わる。ペン体が傾動するために必要な力と、ペン体が引っ張られる方向の力とは力の向きが逆である。これにより、ペン体が適正に傾動することが困難となり、筆記部の一部のみが筆記面に接触した状態（筆記部全体が紙面に接触しない状態）で筆記することになるおそれがある。
【０００９】
以上の様に、状態２の場合は、傾動機構が適切に作動せず、筆記部全体が筆記面に接触するようにペン体が傾動できないため、一定幅の描線を描くことが困難となるおそれがある。
【００１０】
また、インキ吸蔵体に、これに挿入されたペン体のインキ誘導部の傾動を許容する傾動許容溝を形成しているので、ペン体のインキ誘導部とインキ吸蔵体の接触状態が、筆記をする度に変化し接触状態が不安定となるため、ペン体からの安定したインキ吐出が得られないおそれがある。
【００１１】
本発明は、前記従来の問題点を解決するものであって、ペン先の紙面に対する角度によらず、筆記部全体が紙面に接触し、一定の線幅が確実に得られる筆記具を提供しようとするものである。なお、本発明において、「前」とは、ペン先側を指し、「後」とは、その反対側を指す。
【課題を解決するための手段】
【００１２】
本願の第１の発明は、少なくともペン先と、前記ペン先を保持する保持部材と、を備えた筆記具であって、前記ペン先の前部が、横断面略長方形状を有するとともに先端部に紙面に接触する筆記部を備え、前記保持部材の先端部が、前記ペン先の前部を包囲する横断面略長方形状の保持部を備え、前記筆記部が前記保持部材の先端部から前方に突出され、前記ペン先の横断面略長方形状の長辺側の前記保持部の側壁に、前端が前方に開放され且つ後端が閉鎖された切り欠き状の開口部を備え、前記開口部により、筆記時にペン先が長辺側に撓み変形可能なことを要件とする。
【００１３】
前記第１の発明の筆記具は、前記ペン先の前部が、横断面略長方形状を有するとともに先端部に紙面に接触する筆記部を備え、前記保持部材の先端部が、前記ペン先の前部を包囲する横断面略長方形状の保持部を備え、前記筆記部が前記保持部材の先端部から前方に突出され、前記ペン先の横断面略長方形状の長辺側の前記保持部の側壁に、前端が前方に開放され且つ後端が閉鎖された切り欠き状の開口部を備え、前記開口部により、筆記時にペン先が長辺側に撓み変形可能なことより、ペン先の紙面に対する角度によらず、筆記部全体が紙面に接触し、一定の線幅が確実に得られる。
【００１４】
本願の第２の発明は、前記第１の発明の筆記具において、前記開口部の幅が、前記ペン先の横断面略長方形状の長辺側の幅より大きいことを要件とする。
【００１５】
前記第２の発明の筆記具は、前記開口部の幅が、前記ペン先の横断面略長方形状の長辺側の幅より大きいことより、筆記時にペン先が、より確実に長辺側に撓み変形可能となり、ペン先の紙面に対する角度によらず、筆記部全体が紙面に接触し、一定の線幅が確実に得られる。
【００１６】
本願の第３の発明は、前記第１又は第２の発明の筆記具において、前記保持部材は、前記ペン先の横断面略長方形状の短辺側の前記保持部の両側壁の先端部に、筆記時に紙面に接触する一対の支持片を備えることを要件とする。
【００１７】
前記第３の発明の筆記具は、
前記保持部材は、前記ペン先の横断面略長方形状の短辺側の前記保持部の両側壁の先端部に、筆記時に紙面に接触する一対の支持片を備えることより、一対の支持片が紙面に接触することで撓み過ぎによるペン先の損傷を防ぎ、また、一対の支持片が紙面に接触することで筆記部全体が紙面に接触している筆圧の目安とすることができる。
【００１８】
また、一対の支持片が紙面に接触することで、定規等を使用して紙面に線を引く場合に、支持片が定規等に当たり、定規等にペン先が接触しないためインキによる定規汚れを防ぐことができ、また定規に付着していた汚れがペン先に移ることによる筆記時の筆跡汚れを防ぐことができる。
【００１９】
本願の第４の発明は、前記第１乃至３のいずれかの発明の筆記具において、前記保持部材と接続される軸筒を備え、前記保持部材の後部は前記軸筒の前部に取り付けられ、前記保持部材の内面に第１の当接壁部が形成され、前記軸筒の内面に第２の当接壁部が形成され、前記第１の当接壁部と前記第２の当接壁部とにより、前記ペン先の外面が前後方向に挟持されてなることを要件とする。
【００２０】
前記第４の発明の筆記具は、前記保持部材と接続される軸筒を備え、前記保持部材の後部は前記軸筒の前部に取り付けられ、前記保持部材の内面に第１の当接壁部が形成され、前記軸筒の内面に第２の当接壁部が形成され、前記第１の当接壁部と前記第２の当接壁部とにより、前記ペン先の外面が前後方向に挟持されてなることより、保持部材からのペン先の抜け落ち又は保持部材（前軸）への埋没を防止できるとともに、ペン先の保持部材からの突出量を正確に維持することができる。
【００２１】
本願の第５の発明は、前記第１乃至４のいずれかの発明の筆記具において、前記開口部の後端縁部は略直線状に形成され、前記筆記部の頂部は略直線状に形成され、前記後端縁部の軸線に対する角度は、前記筆記部の頂部の軸線に対する角度と略同一である
ことを要件とする。
【００２２】
前記第５の発明の筆記具は、
前記開口部の後端縁部は略直線状に形成され、前記筆記部の頂部は略直線状に形成され、前記後端縁部の軸線に対する角度は、前記筆記部の頂部の軸線に対する角度と略同一であることより、ペン先が撓むことによるペン先への負荷がペン先の前部に均一に掛かり、ペン先の損傷をより防ぐことができる。
【００２３】
前記後端縁部の軸線に対する角度とは、後端縁部と軸線とが成す角度のうち、９０度以下を示す部分の角度を指し、前記筆記部の頂部の軸線に対する角度とは、頂部と軸線とが成す角度のうち、９０度以下を示す部分の角度を指す。また、これら両角度が略同一であることは、言い換えれば、後端縁部と頂部とが略平行であることを表している。また、これら角度は３０度以上９０度以下で設定され、好ましくは４５度以上９０度以下で設定される。
【００２４】
本願の第６の発明は、前記第１乃至５のいずれかの発明の筆記具において、前記ペン先は、繊維ペン先、フェルトペン先、連続気泡を有する多孔質体からなるペン先、軸方向の毛細管通路を有するプラスチックペン先のいずれかであることを要件とする。
【００２５】
前記第６の発明の筆記具は、前記ペン先は、繊維ペン先、フェルトペン先、連続気泡を有する多孔質体からなるペン先、軸方向の毛細管通路を有するプラスチックペン先のいずれかであることより、ペン先が柔軟性を有しており、より確実に長辺側に撓み変形可能となり、ペン先の紙面に対する角度によらず、筆記部全体が紙面に接触し、一定の線幅が確実に得られる。
【００２６】
本願の第７の発明は、前記第１乃至６のいずれかの発明の筆記具において、前記軸筒の外面に、前記ペン先の向きを識別する方向識別部を備えることを要件とする。
【００２７】
前記第７の発明の筆記具は、前記軸筒の外面に、前記ペン先の向きを識別する方向識別部を備えることより、筆記する直前にペン先の向きを目視により確認する必要がなく、ペン先を露出させた後、即座に筆記使用することができる。
【００２８】
本願の第８の発明は、ペン先と、前記ペン先を保持する保持部材とを備えた筆記具であって、前記保持部材の先端より前記ペン先が前方に突出され、前記保持部材の先端部の側壁に、切り欠き状の開口部が形成され、前記開口部を介して、前記保持部材の先端より後方に位置する前記ペン先の一定の長手寸法部分の全幅方向が露出されてなることを要件とする。
【００２９】
前記第８の発明の筆記具は、前記保持部材の先端より前記ペン先が前方に突出され、前記保持部材の先端部の側壁に、切り欠き状の開口部が形成され、前記開口部を介して、前記保持部材の先端より後方に位置する前記ペン先の一定の長手寸法部分の全幅方向が露出されてなることより、ペン先の紙面に対する角度によらず、筆記部全体が紙面に接触し、一定の線幅が確実に得られる。
【発明の効果】
【００３０】
本発明の筆記具によれば、ペン先の紙面に対する角度によらず、筆記部全体が紙面に接触し、一定の線幅を確実に得ることができる。
【図面の簡単な説明】
【００３１】
【図１】本発明の実施の形態を示す正面図である。
【図２】図１の要部拡大図である。
【図３】図２の要部拡大斜視図である。
【図４】図２の縦断面図である。
【図５】図５（ａ）は、本発明の実施の形態の保持部材の縦断面図である。図５（ｂ）は、図５（ａ）のＢ−Ｂ線断面図である。図５（ｃ）は、図５（ａ）のＣ−Ｃ線断面図である。
【図６】図６（ａ）は、本発明の実施の形態のペン先の正面図である。図６（ｂ）は、ペン先の斜視図である。
【図７】図２のＡ−Ａ線拡大断面図である。
【図８】図１の筆記具が非筆記時において、筆記部が紙面に接触する長辺の延長線に沿う方向から筆記具全体を見たときの要部拡大図である。
【図９】図１の筆記具が筆記時において、筆記部が紙面に接触する長辺の延長線に沿う方向から筆記具全体を見たときの要部拡大図である。
【図１０】図１の筆記具が筆記時において、筆記部が紙面に接触する短辺の延長線に沿う方向から筆記具全体を見たときの要部拡大図である。
【図１１】従来の筆記具によって紙面に筆記する際の状態１を、筆記部が紙面に接触する長辺の延長線に沿う方向から筆記具全体を見た正面図である。
【図１２】図１１の斜視図である。
【図１３】従来の筆記具によって紙面に筆記する際の状態２を、筆記部が紙面に接触する長辺の延長線に沿う方向から筆記具全体を見た正面図である。
【図１４】図１３の斜視図である。
【発明を実施するための形態】
【００３２】
本発明の実施の形態について図面に従って説明する。
【００３３】
図１乃至図１０に本発明・筆記具１の実施の形態を示す。
【００３４】
筆記具１は、主に、ペン先２と、ペン先２を保持した保持部材３と、インキ吸蔵体６と、インキ吸蔵体６を内部に収容した前軸４及び後軸５とからなる。そして、保持部材３が、前軸４の保持部材嵌合部４４に圧入嵌合される。
【００３５】
・ペン先
ペン先２は、連続気泡を有する多孔質体からなり、その一端部が、筆記部２１として保持部材３の先端部から前方に突出されるとともに、その他端部（後部２５）が、インキ吸蔵体６の一端部と突き刺し状に接続される。なお、筆記部２１は、チゼル形状に研削加工される。また、筆記部２１は、チゼル形状に限らず、砲弾形状、長方形状、四角柱形状、板状形状等の目的に応じた形状に研削加工してもよい。なお、本発明の筆記具１の形態は、図示例に限らず、インキ吸蔵体６の両端に相異なる形態のペン体を装着させた両頭式筆記具であってもよい。
【００３６】
また、図８及び図９に示すように、筆記部２１が紙面７に接触する長辺の延長線に沿う方向から筆記具１全体を見たとき、ペン先２の筆記部２１は、頂部２２に凸曲面状のＲ形状を備える事が好ましい。本発明は、ペン先２が撓むことにより、ペン先の紙面７に対する角度によらず、筆記部全体が紙面７に接触し、一定の線幅を確実に得ることができるため、頂部２２が確実に紙面７に接触するために頂部２２はＲ形状が好ましい。
【００３７】
ペン先２は、図４及び図６に示すように、先端に筆記部２１を有する前部２３と、保持部材３と前軸４により外面を前後方向に挟持される円筒状の中央部２４と、インキ吸蔵体６の一端部と突き刺し状に接続される円筒状の後端部２５と、を備える。ペン先２の前部２３は、横断面略長方形状を有するとともに、筆記時にペン先２の前部２３は、横断面略長方形状の長辺側に撓み変形可能な可撓性を有する。
【００３８】
ペン先２は、連続気泡を有する合成樹脂の多孔質体からなる。前記ペン先２は、これ以外にもインキが流通可能で可撓性を有するものであればよく、具体的には、繊維ペン先、フェルトペン先、毛筆ペン先、軸方向の毛細管通路を有するプラスチックペン先等が挙げられる。
【００３９】
・インキ吸蔵体
インキ吸蔵体６は、インキを含浸可能な連続気孔を有する部材からなるものであればよく、例えば、繊維束の熱融着加工体、繊維束の樹脂加工体、フェルトの樹脂加工体、フェルトのニードルパンチ加工体、多孔質体（例えば、スポンジ等の合成樹脂の連続気泡体）等が挙げられる。また、インキ吸蔵体６は、その外周面に合成樹脂フィルム等よりなる外皮を備える構成でもよい。
【００４０】
・前軸
前軸４は、両端部が開口された、合成樹脂の射出成形または押出成形により得られる筒状体である。図４に示すように、前軸４の前端部内面には、保持部材３の後端部外面（第４のリブ３７ｄ）が圧入嵌合される保持部材嵌合部４４が形成される。また、前軸４の保持部材嵌合部４４の後方内周面には、軸方向に延びる複数本（ここでは８本）の縦リブ４３が等間隔に一体に形成される。保持部材３の第１の当接壁部３６と、前記縦リブ４３の前端の第２の当接壁部４１とにより、ペン体２の中央部２４を前後方向に挟持する。これにより、保持部材３からのペン先２の抜け落ち又は保持部材３（前軸４）への埋没を防止できるとともに、ペン先２の保持部材３からの突出量を正確に規制することができる。また、縦リブ４３の後端の第３の当接壁部４２は、インキ吸蔵体６の前端部を前後方向に挟持する。
【００４１】
前軸４の後端部に連結される後軸５は、前端が開口され且つ後端が閉塞された、底壁と周壁とからなる円筒状の有底筒体であり、合成樹脂（例えば、ポリプロピレン等）の射出成形により得られる。前記前軸４は、前記後軸５と螺合又は圧入により気密嵌合される。
【００４２】
前軸４は、外面にペン先２の向きを識別する軸方向に延びる突起よりなる方向識別部４５を備える。これにより、筆記する直前にペン先２の向きを目視により確認する必要がなく、ペン先２を露出させた後、即座に筆記使用することができる。
【００４３】
・保持部材
保持部材３は、両端部が開口された、合成樹脂の射出成形により得られる筒状体である。図５に示すように、保持部材３の長辺側の両側壁内面には、ペン先２の前部２３が圧入嵌合される、軸方向に延びる複数本（ここでは２本）の一対の第１のリブ３７ａが形成される。保持部材３の短辺側の両側壁内面には、後述する支持片３５を補強する、軸方向に延びる複数本（ここでは２本）の一対の第２のリブ３７ｂが形成される。図７に示すように、第２のリブ３７ｂはペン先２の前部２３に非接触であることが好ましいが、接触しても構わない。なお、第２のリブ３７ｂがペン先２の前部２３に非接触である場合は、支持片３５を補強するだけでなく、よりペン先２の筆記部２１の可撓性を高めることができる。
【００４４】
筆記時、ペン先２が撓んだ際に、後端縁部３４に接触する前にペン先２の前部２３側面は、第１のリブ３７ａの前端に支持される。第１のリブ３７ａ及び第２のリブ３７ｂの前端は面取り又は凸曲面状のＲ形状が設けられる。これにより、ペン先２が撓んだ際に、第１のリブ３７ａ及び第２のリブ３７ｂの前端によって、ペン先２の前部２３に過度な負荷が掛かる事を防ぐことができる。また、これにより、ペン先２が撓んだ際に、ペン先２の前部２３と後述の後端縁部３４とが接触することを防ぎ、ペン先２の折れや損傷を確実に防ぐことができる。
【００４５】
保持部材３の後端部の横断面円形状の内面には、ペン先２の中央部２４が圧入嵌合される軸方向に延びる複数本（ここでは４本）の第３のリブ３７ｃが等間隔に形成される。保持部材３の後端部の横断面円形状の外面には、前軸４の保持部材嵌合部４４に圧入嵌合される軸方向に延びる複数本（ここでは６本）の第４のリブ３７ｄが等間隔に形成される。なお、第４のリブ３７ｄと前軸４の保持部材嵌合部４４によって形成される連通孔は、空気流通孔として機能し、ペン先２からの円滑なインキ吐出を可能とする。
【００４６】
図２又は図３に示すように、保持部材３は、先端部にペン先２の前部２３を包囲する横断面略長方形状の保持部３１を備え、筆記部２１が保持部材３の先端部から前方に突出する。また、保持部材３は、ペン先２の横断面略長方形状の長辺側の保持部３１の両方の側壁３２に、前端が前方に開放され且つ後端が閉鎖され、幅がペン先２の横断面略長方形状の長辺側の幅より大きい切り欠き状の開口部３３を備える。これにより、ペン先２の前部２３が筆記時に長辺側に撓み変形可能となり、ペン先２の紙面７に対する角度によらず、筆記部全体が紙面７に接触し、一定の線幅が確実に得られる。
【００４７】
前記開口部３３は保持部３１の片方の側壁３２のみに設けても構わないが、両方の側壁３２に設けることにより、使用者が左利き又は右利きに関わらず、適切な方向に撓むことが可能となり、より利便性が高まる。
【００４８】
また、使用者が右利きの場合でも、筆記部２１の長辺側を使って横方向に左から右に向かって線を引く場合だけでなく、横方向に右から左に向かって線を引く場合も想定される。その場合は、開口部３３を保持部３１の両方の側面３２に設けることにより、適切な方向に撓むことが可能となり、より利便性を高めることができる。
【００４９】
保持部材３は、ペン先２の横断面略長方形状の短辺側の保持部３１の両側壁の先端部に、筆記時に紙面７に接触する、開口部３３の後端縁部３４より前方に突出した一対の支持片３５を備える。図１０に示すように、一対の支持片３５が紙面７に接触することにより、ペン先２の撓み過ぎによる折れや損傷を防ぎ、また、筆記部全体を紙面に接触させることができる。なお、支持片３５は、前方に向かうに従って先細状となり、その前端に凸曲面が形成されている。
【００５０】
また、一対の支持片３５が紙面７に接触することで、定規等を使用して紙面７に線を引く場合に、支持片３５が定規等に当たり、定規等にペン先２が接触しないためインキによる定規汚れを防ぐことができ、また定規に付着していた汚れが筆記部２１に移ることによる筆記時の筆跡汚れを防ぐことができる。
【００５１】
また、支持部材３が一対の支持片３５を有する事で、ペン先２を筆記具１のキャップ等に挿入する際に、ペン先２がキャップ内面に接触することによるキャップ内面へのインキ付着を防ぐことができる。なお、キャップ内面へインキが付着すると、筆記具１にキャップを嵌合させた際に、キャップ内面に付着したインキが前軸４の外面に転写付着される。それにより、使用者が再度キャップを外して筆記具１の前軸４を把持した際にインキで手を汚す恐れがある。
【００５２】
図８に示すように、筆記具１が非筆記時においては、筆記部２１及び支持片３５は筆記具１の略軸線上に位置している。一方、図９に示すように、筆記具１が筆記時において、紙面７に接触する長辺の延長線に沿う方向から筆記具全体を見た場合、筆記部２１（頂部２２）が筆記具１の軸線上から外れている。すなわち、ペン先２の筆記部２１が長辺側に撓み変形している。これにより、ペン先２の紙面７に対する角度によらず、筆記部２１全体が紙面７に接触し、一定の線幅が確実に得られる。
【００５３】
また、図８に示すように、ペン先２の頂部２２は、支持片３５の先端部から前方に突出し、その突出量は、０．２ｍｍより大きく５．０ｍｍより小さいこと、好ましくは、０．５ｍｍより大きく２．０ｍｍより小さいことが有効である。好ましい範囲内で突出量が小さいほど剛性感のあるしっかりとした筆感が得られ、好ましい範囲で突出量が大きいほど柔らかな筆感が得られる。
【００５４】
後端縁部３４には、面取り又はＲが設けられる。特に少なくともペン先２が接触する可能性があるペン先２側の縁に、面取り又Ｒが設けられることが好ましい。これにより、ペン先２が過度に撓んだ場合は、後端縁部３４に接触する可能性があるが、その際でもペン先２の前部２３に掛かる負荷を最小限に抑えることができ、ペン先２の折れや損傷をより確実に防ぐことができる。
【００５５】
図２に示すように、開口部３３の後端縁部３４は略直線状に形成され、筆記部２１の頂部２２は略直線状に形成され、後端縁部３４の軸線に対する角度は、筆記部２１の頂部２２の軸線に対する角度と略同一であることより、ペン先２が過度に撓むことによる後端縁部３４のペン先２への負荷が、ペン先２の前部２３に均一に掛かり、ペン先２の折れや損傷を確実に防ぐことができる。
【００５６】
前記後端縁部３４の軸線に対する角度とは、後端縁部３４と軸線とが成す角度のうち、９０度以下を示す部分の角度を指し、前記筆記部２１の頂部２２の軸線に対する角度とは、頂部２２と軸線とが成す角度のうち、９０度以下を示す部分の角度を指す。また、これら両角度が略同一であることは、言い換えれば、後端縁部３４と頂部２２とが略平行であることを表している。また、これら角度は３０度以上９０度以下で設定され、好ましくは４５度以上９０度以下で設定される。
【００５７】
図２に示すように、筆記部２１が紙面に接触する短辺の延長線に沿う方向から筆記具全体を見たときに、保持部材３から露出したペン先２の形状は、略平行四辺形若しくは長方形である。これにより、筆記部２１の研削方向（すなわちペン先の形状）が後端縁部３４の形状で把握できるため、筆記する直前にペン先２の向きのみで方向を確認する必要がなく、ペン先２を露出させた後、即座に筆記使用することができる。
【００５８】
また、保持部材３の色は、ペン先２の色（すなわちインキ色）と異なることがより好ましい。これにより、後端縁部３４の向きがより際立ち、筆記部２１の研削方向（すなわちペン先の形状）をより確認しやすくなる。なお、ペン先２自体を黒等の暗い色で着色し、保持部材３をペン先２とは異なる明るい色で着色した場合は、より一層後端縁部３４の向きが際立ち、筆記部２１の研削方向（すなわちペン先の形状）をより確認しやすくなる。
【符号の説明】
【００５９】
１  筆記具
２  ペン先
２１  筆記部
２２  頂部
２３  前部
２４  中央部
２５  後部
３  保持部材
３１  保持部
３２  側壁
３３  開口部
３４  後端縁部
３５  支持片
３６  第１の当接壁部
３７ａ  第１のリブ
３７ｂ  第２のリブ
３７ｃ  第３のリブ
３７ｄ  第４のリブ
４  前軸
４１  第２の当接壁部
４２  第３の当接壁部
４３  縦リブ
４４  保持部材嵌合部
４５  方向識別部
５  後軸
６  インキ吸蔵体
７  紙面
Ｄ  進行方向
Ｆ  筆記に伴い軸筒に加えられる紙面に対する垂直方向の力
Ｐ  ペン体が傾動する仮想平面
θ  筆記角度
【図１】
2019155879.tif 000003
【図２】
2019155879.tif 000004
【図３】
2019155879.tif 000005
【図４】
2019155879.tif 000006
【図５】
2019155879.tif 000007
【図６】
2019155879.tif 000008
【図７】
2019155879.tif 000009
【図８】
2019155879.tif 000010
【図９】
2019155879.tif 000011
【図１０】
2019155879.tif 000012
【図１１】
2019155879.tif 000013
【図１２】
2019155879.tif 000014
【図１３】
2019155879.tif 000015
【図１４】
2019155879.tif 000016